【事件の表示】
　特願２０１２−５０４９２１「コンテンツを共通ビデオストリームにオーバーレイするための方法ならびに装置」拒絶査定不服審判事件〔平成２２年１０月２１日国際公開、ＷＯ２０１０／１２０６９３、平成２４年１０月　４日国内公表、特表２０１２−５２３７７５〕について、次のとおり審決する。
【結　論】
　本件審判の請求は、成り立たない。
【理　由】
１．手続の経緯
　
　本願は、２０１０年４月１２日（パリ条約による優先権主張外国庁受理２００９年４月１３日、米国）を国際出願日とする出願であって、平成２５年２月１日付けの拒絶理由通知に対し、平成２５年６月１４日付けで、意見書・手続補正書が提出されたが、平成２５年７月５日付けで拒絶査定がなされたものである。
　本件は、上記拒絶査定を不服として、平成２５年１０月２４日付けで請求された拒絶査定不服審判であって、同日付けで手続補正がなされ、その後当審において、平成２６年８月２８日付けで最初の拒絶理由が通知がなされ、これに対し、平成２６年１２月２日付けで、誤訳訂正がなされたものである。
　
２．本願発明
　
　本願の請求項１に係る発明（以下、「本願発明」という。）は、明細書、特許請求の範囲及び図面の記載からみて、特許請求の範囲の請求項１に記載された次のとおりのものと認める。
　なお、Ａ．〜Ｇ．については、説明のために当審にて付したものである。
（以下、「構成Ａ」、・・・、「構成Ｇ」という。）
　
「Ａ．ビデオストリームを提供する方法であって、
　　　前記方法が、
　Ｂ．テレビ受信機にて、共通ビデオコンテンツと非共通コンテンツの第一部分とを含み、非共通コンテンツの前記第一部分が、前記非共通コンテンツの前記第一部分の表示に先行して受信されるように、複合ストリームを受信するステップと、
　Ｃ．前記テレビ受信機にて、前記非共通コンテンツの表示と前記非共通コンテンツの前記第一部分の提供のための前記ビデオストリーム共通ビデオコンテンツ内の前記共通ビデオコンテンツの時間内の点とを詳細に指定する少なくとも１つの基準を受信するステップと、
　Ｄ．前記共通ビデオコンテンツを出力するステップと、
　Ｅ．テレビ受信機において、テレビ受信機に関連付けられた少なくとも１つのパラメータと、前記非共通コンテンツを出力するか否かを決定する前記基準とを処理するステップと、
　Ｆ．前記非共通コンテンツを出力する決定に応答して、前記非共通コンテンツを、前記共通ビデオコンテンツ内の前記ビデオストリームの前記時間内の点で提供される前記共通ビデオコンテンツの一部分にオーバーレイするステップと、
　を含み、
　Ｇ．必要に応じて、前記オーバーレイすることが、前記共通ビデオコンテンツ内の特定のコンテンツを覆い隠すように行われる、方法。」
　
３．刊行物１発明
　
　当審の拒絶理由に引用された、特開２００７−１５０９４６号公報（以下、「刊行物１」という。）には、「表示システム、表示制御装置および方法、提供装置および方法、並びにプログラム」として、図面とともに以下の事項が記載されている。
　
ア．「【０００１】
　本発明は、表示システム、表示制御装置および方法、提供装置および方法、並びにプログラムに関し、特に、映像コンテンツの視聴者にＣＭを確実に見せることができるようにした表示システム、表示制御装置および方法、提供装置および方法、並びにプログラムに関する。」
イ．「【００１３】
　本発明の第２の側面の表示制御装置は、映像コンテンツに重ねて表示させるＣＭと、ＣＭの重畳方式を指定する指定情報を取得する第１の取得手段と、前記第１の取得手段により取得された前記指定情報に基づいて、所定の映像コンテンツに重ねて表示させるＣＭを識別し、識別したＣＭを表示させるためのＣＭデータを取得する第２の取得手段と、前記第２の取得手段により取得された前記ＣＭデータにより表示されるＣＭを、前記指定情報により指定される重畳方式にしたがって、前記所定の映像コンテンツに重ねて表示させる表示制御手段とを備える。
【００１４】
　前記第１の取得手段には、前記指定情報を映像コンテンツとともに取得させることができる。
【００１５】
　ＣＭデータを記憶する記憶手段をさらに設けることができる。この場合、前記第２の取得手段には、前記記憶手段により記憶されているＣＭデータの中から、前記指定情報に基づいて識別したＣＭを表示させるためのＣＭデータを取得させることができる。
【００１６】
　映像コンテンツを視聴するユーザに関する情報の入力を受け付ける受付手段をさらに設けることができる。この場合、前記第２の取得手段には、ＣＭの対象とするユーザを表す情報が属性情報としてＣＭデータに含まれている場合、前記受付手段により受け付けられた情報を入力したユーザを対象とするＣＭを表示させるためのＣＭデータを取得させることができる。
【００１７】
　前記表示制御手段には、前記所定の映像コンテンツの表示画面の所定の位置にＣＭを重ねて表示させることができる。
【００１８】
　前記表示制御手段には、前記所定の映像コンテンツのシーンの切り替わりのタイミングでＣＭを重ねて表示させることができる。
【００１９】
　本発明の第２の側面の表示制御方法は、映像コンテンツに重ねて表示させるＣＭと、ＣＭの重畳方式を指定する指定情報を取得し、取得した前記指定情報に基づいて、所定の映像コンテンツに重ねて表示させるＣＭを識別して、識別したＣＭを表示させるためのＣＭデータを取得し、取得した前記ＣＭデータにより表示されるＣＭを、前記指定情報により指定される重畳方式にしたがって、前記所定の映像コンテンツに重ねて表示させるステップを含む。」
ウ．「【００３８】
　表示制御装置１は、チューナ１１、外部機器I/F１２、ネットワークI/F１３、フロントエンド１４、記憶装置１５、およびバックエンド１６から構成され、インターネットなどよりなるネットワーク４に接続される。表示制御装置１には、ＬＣＤ(Liquid Crystal Display)などよりなるディスプレイ２、アンテナ３が接続される。また、表示制御装置１には、録画機器やＤＶＤ(Digital Versatile Disc)プレーヤなどの、映像コンテンツを表示制御装置１に対して出力する装置（図示せず）も接続される。
【００３９】
　チューナ１１は、フロントエンド１４による制御にしたがってアンテナ３からの放送信号を受信、復調し、所定のチャンネルで放送されるトランスポートストリーム（ＴＳ）をフロントエンド１４に出力する。
【００４０】
　ＴＳには、テレビジョン番組や映画などの複数の映像コンテンツの他に、それぞれの映像コンテンツをディスプレイ２に表示させるときに、それに重畳して表示させるＣＭを指定したり、ＣＭの表示のさせ方を指定したりする情報である指定情報が含まれる。また、ＴＳには、映像コンテンツに重畳して表示させるＣＭのデータなども含まれる。指定情報や、それによる指定にしたがって行われるＣＭの表示については後述する。」
エ．「【００４４】
  また、フロントエンド１４は、所定のストリームから取得されたＣＭデータや指定情報を記憶装置１５に記憶させて管理する。」
オ．「【００４７】
　具体的には、フロントエンド１４は、指定情報により指定される重畳方式にしたがって、映像コンテンツを構成する所定のタイミングのフレームの所定の位置にＣＭのデータを合成し、合成した映像コンテンツをバックエンド１６に出力して再生させる。これにより、ディスプレイ２には、指定情報により指定されるタイミング、位置に、指定されたＣＭが重畳された形で映像コンテンツが表示される。映像コンテンツに重畳させるＣＭのデータは、記憶装置１５から読み出されて用いられる。」
カ．「【００５４】
　指定情報には、コンテンツＩＤ、ＣＭＩＤ、重畳方式が記述される。
【００５５】
　コンテンツＩＤは、この指定情報に記述される内容が、どの映像コンテンツに関するものであるのかを表す情報である。映像コンテンツの再生が指示されたとき、その映像コンテンツに設定されているコンテンツＩＤと同じコンテンツＩＤが記述される指定情報が、ＣＭの表示に用いられる。
【００５６】
　ＣＭＩＤは、映像コンテンツに重畳して表示させるＣＭを指定する情報である。すなわち、それぞれのＣＭにはＣＭＩＤが設定されており、このＣＭＩＤにより、再生が指示された映像コンテンツに重畳させるＣＭが識別される。
【００５７】
　ここで、ＣＭには、映像（動画）と音声によって企業、商品、サービスなどを紹介するものの他に、それらを文字だけで説明するものや、ロゴ、写真などの静止画で表示するものも含まれる。
【００５８】
　重畳方式は、例えば、ＣＭＩＤで識別されるＣＭを、映像コンテンツのどのタイミングで、表示画面上のどの位置に表示するのかを指定する情報である。重畳方式は、例えば、それぞれの映像コンテンツを見て、重畳方式を決定するＣＭの管理者によって指定情報に記述される。」
キ．「【００６３】
　また、表示データ生成部２４は、指定情報に記述されるＣＭＩＤにより識別されるＣＭのデータをＤＢ２３から読み出し、指定情報に記述される重畳方式により指定されるタイミングで、指定される位置にＣＭが表示されるように、ＤＢ２３から読み出したＣＭデータを、再生が指示された映像コンテンツに合成する。表示データ生成部２４は、ＣＭデータを合成することによって得られた映像コンテンツを表示データとしてバックエンド１６に出力し、表示させる。
【００６４】
　さらに、表示データ生成部２４は、ＤＢ２３から取得した指定情報の属性情報として、それぞれのＣＭの対象となるユーザを指定する情報が含まれている場合、適宜、属性情報と、映像コンテンツの視聴者であるユーザにより入力されたユーザ情報に基づいて、そのユーザを対象とするＣＭのデータをＤＢ２３から取得して映像コンテンツに合成する。
【００６５】
　例えば、ユーザが男性である場合にはＣＭ（Ａ）を表示させる、ユーザが女性である場合にはＣＭ（Ｂ）を表示させる、ユーザの年齢が１０代の場合にはＣＭ（Ｃ）を表示させる、ユーザの年齢が２０代の場合にはＣＭ（Ｄ）を表示させる、などのように、ＣＭの対象ユーザが属性情報により指定される。ユーザにより入力されたユーザ情報や、再生する映像コンテンツを指定する情報などは、受付部２５から表示データ生成部２４に対して供給される。
【００６６】
　受付部２５は、リモートコントローラなどを用いて行われるユーザ操作に応じて、再生する映像コンテンツの指定や、ユーザ情報の入力を受け付け、受け付けた情報を表示データ生成部２４に出力する。例えば、ユーザの性別、年齢、視聴地域などがユーザ情報として入力され、映像コンテンツに重畳して表示させるＣＭの選択に用いられる。
【００６７】
　図４は、映像コンテンツの表示画面の例を示す図である。図４に示されるＣＭの重畳方式は、表示画面の隅に、映像コンテンツに重畳させて文字ＣＭを所定の時間だけ表示させる方式である。
【００６８】
　図４に示されるように、例えば、ディスプレイ２のほぼ全面には、ユーザにより再生が指示された映像コンテンツ（映像コンテンツの再生画像）が表示される。図４の例においては、画面の右下にＣＭ表示領域３１が形成されており、ＣＭ表示領域３１には「ＳＯＭＹ  テレビプラビア」の文字がＣＭとして表示されている。
【００６９】
　ＣＭ表示領域３１に表示されている「ＳＯＭＹ  テレビプラビア」の文字は、図４の画面に表示されている映像コンテンツのコンテンツＩＤが記述される指定情報と同じ指定情報にＣＭＩＤが記述されるＣＭのデータに基づいて表示されるものである。また、画面上のＣＭ表示領域３１の位置と、「ＳＯＭＹ　テレビプラビア」の文字が表示されるタイミングは、指定情報に記述される重畳方式によって指定されるものである。」
ク．「【００７４】
  このように、様々なパターンの重畳方式が指定情報により指定される。例えば、映像コンテンツのシーンの切り替わりのときに表示される黒画に重畳させてＣＭが表示されるようにしてもよいし、図４に示されるような画面の右下ではなく、プロ野球中継のバックネットの看板の位置に重畳してＣＭが表示されるように、映像コンテンツ内の所定の位置にＣＭが重畳して表示されるようにしてもよい。映像コンテンツのシーンの切り替わりのときにＣＭを重畳して表示させる場合、シーンの切り替わりのタイミングがＣＭの表示タイミングとして指定情報により指定される。」
ケ．「【００７５】
　次に、図６のフローチャートを参照して、表示制御装置１の処理について説明する。
【００７６】
　この処理は、例えば、映像コンテンツの再生がユーザにより指示されたときに開始される。処理の開始前、ＤＢ２３には、例えば、デマルチプレクサにより抽出されたストリームから取得された指定情報やＣＭデータが記憶されている。
【００７７】
　ステップＳ１において、表示データ生成部２４は、再生が指示された映像コンテンツを取得するとともに、取得した映像コンテンツのコンテンツＩＤを参照し、その映像コンテンツに関する指定情報をＤＢ２３から読み出して取得する。
【００７８】
　表示データ生成部２４は、ステップＳ２において、ＤＢ２３から読み出した指定情報に記述されるＣＭＩＤに基づいて、映像コンテンツに重畳して表示させるＣＭを確認し、ステップＳ３に進み、確認したＣＭのデータをＤＢ２３から読み出して取得する。
【００７９】
　ＣＭデータの取得の際には、適宜、属性情報により指定される対象とするユーザの情報や、ユーザによりあらかじめ入力されたユーザ情報も参照され、映像コンテンツを視聴しようとするユーザを対象とするＣＭが取得される。
【００８０】
　ステップＳ４において、表示データ生成部２４は、ＤＢ２３から読み出した指定情報に記述される重畳方式により指定される方式でＣＭが表示されるように、再生が指示された映像コンテンツにＣＭデータを合成することによって表示データを生成する。生成された表示データはバックエンド１６に出力される。
【００８１】
　ステップＳ５において、バックエンド１６は、表示データ生成部２４から供給された表示データに基づいて、ＣＭが重畳された映像コンテンツをディスプレイ２に表示させる。そして、映像コンテンツの再生の終了が指示されるまで、指定情報に基づくＣＭの表示は続けられる。」
　
　このような事項を踏まえ、上記ア．〜ケ．の記載及び関連する図面並びにこの分野における技術常識を考慮すると、
　
（ａ）刊行物１には、上記ア．、イ．に記載があるように、映像コンテンツを視聴するユーザを対象とするＣＭを確実に見せることができるように、映像コンテンツと、ＣＭの重畳方式を指定する指定情報と、ＣＭの対象とするユーザを現す情報を含むＣＭデータを取得し、映像コンテンツを視聴するユーザを対象とするＣＭを、指定される重畳方式にしたがって、映像コンテンツに重ねて表示させる方法についての記載がある。
　
（ｂ）上記オ．の記載から、刊行物１の方法は、映像コンテンツを表示する方法といえる。
　
（ｃ）上記ウ．、エ．、オ．の記載から、刊行物１の方法は、ディスプレイが接続された表示制御装置にて、映像コンテンツとＣＭデータとを含むトランスポートストリームを受信するものであり、ＣＭデータは、受信後に記憶装置に記憶され、記憶装置から読み出されて映像コンテンツに重畳して表示されるものである。
　
（ｄ）上記イ．、カ．、キ．の記載から、刊行物１の方法は、ディスプレイが接続された表示制御装置にて、視聴地域などのＣＭの対象となるユーザを指定する情報を含み、映像コンテンツに重畳して表示させるＣＭデータの選択に用いられるための属性情報と、ＣＭデータを映像コンテンツのどのタイミングで表示するのかを指定する指定情報とを受信するものである。
　
（ｅ）上記カ．、キ．、ケ．の記載から、刊行物１の方法は、ディスプレイが接続された表示制御装置にて、ユーザにより入力された視聴地域などのユーザ情報と、前記属性情報とに基づいて、映像コンテンツを視聴しようとするユーザを対象とするＣＭデータが取得されるものである。
　
（ｆ）上記カ．、キ．、ケ．の記載から、刊行物１の方法は、映像コンテンツを視聴しようとするユーザを対象とするＣＭデータが取得されると、ＣＭデータを、指定情報により指定されるタイミングで、指定情報により指定される映像コンテンツの位置に合成するものである。
　
（ｇ）上記ク．の記載から、刊行物１の方法は、バックネットの看板の位置に重畳してＣＭデータが表示されるようにしてもよいものである。
　
　以上の方法をステップとしてまとめると、刊行物１には以下の発明（以下、「刊行物１発明」という。）が開示されている。
　なお、ａ．〜ｇ．については、説明のために当審にて付したものである。
（以下、「構成ａ」、・・・、「構成ｇ」という。）
　
［刊行物１発明］
　
「ａ．映像コンテンツを表示する方法であって、
　　　前記方法が、
　ｂ．ディスプレイが接続された表示制御装置にて、映像コンテンツとＣＭデータとを含むトランスポートストリームを受信するステップと、
　ＣＭデータは、受信後に記憶装置に記憶され、記憶装置から読み出されて映像コンテンツに重畳して表示されるものであり、
　ｃ．ディスプレイが接続された表示制御装置にて、視聴地域などのＣＭの対象となるユーザを指定する情報を含み、映像コンテンツに重畳して表示させるＣＭデータの選択に用いられるための属性情報と、ＣＭデータを映像コンテンツのどのタイミングで表示するのかを指定する指定情報とを受信するステップと、
　ｄ．映像コンテンツを表示するステップと、
　ｅ．ディスプレイが接続された表示制御装置にて、ユーザにより入力された視聴地域などのユーザ情報と、前記属性情報とに基づいて、映像コンテンツを視聴しようとするユーザを対象とするＣＭデータが取得されるステップと、
　ｆ．映像コンテンツを視聴しようとするユーザを対象とするＣＭデータが取得されると、ＣＭデータを、指定情報により指定されるタイミングで、指定情報により指定される映像コンテンツの位置に合成するステップと、
　を含み、
　ｇ．バックネットの看板の位置に重畳してＣＭデータが表示されるようにしてもよい、方法。」
　
４．本願発明と刊行物１発明との対比と一致点・相違点の認定
　
ア．対比
　
（ア−１）本願発明の構成Ａと刊行物１発明の構成ａについて
　刊行物１発明の構成ａにおいて、刊行物１発明の「映像コンテンツ」は、本願発明の「ビデオストリーム」に対応し、映像コンテンツを表示することは、視聴者に映像コンテンツを提供することであるから、刊行物１発明の構成ａと、本願発明の構成Ａは、「ビデオストリームを提供する方法であ」る点で一致する。
　
（ア−２）本願発明の構成Ｂと刊行物１発明の構成ｂについて
　刊行物１発明の構成ｂの「ディスプレイが接続された表示制御装置」は、本願発明の「テレビ受信機」に対応する。
　構成ｂの「映像コンテンツ」は、視聴地域が異なっても共通のコンテンツであるから、本願発明の「共通ビデオコンテンツ」に対応する。
　構成ｂの「ＣＭデータ」は、構成ｅにあるように、視聴地域に応じて選択されるものであるから、視聴地域によって異なるデータであり、視聴地域が異なっても共通のコンテンツである「映像コンテンツ」に対して、非共通のコンテンツといえる。したがって、構成ｂの「ＣＭデータ」は、本願発明の「非共通コンテンツ」に対応する。
　そして、３．キ．で摘出したように、刊行物１の段落【００６５】には、属性情報により異なるＣＭ（ＣＭ（Ａ）、ＣＭ（Ｂ）、ＣＭ（Ｃ）、ＣＭ（Ｄ））を表示させることが開示されており、異なるＣＭ（ＣＭ（Ａ）、ＣＭ（Ｂ）、ＣＭ（Ｃ）、ＣＭ（Ｄ））のそれぞれは、ＣＭデータ全体から見ると、ＣＭデータの第一部分、第二部分・・・といえる。そうすると、構成ｂの「ＣＭデータ」は、少なくとも、ＣＭデータの第一部分を含んでいるものであり、構成ｂの「映像コンテンツとＣＭデータとを含」むは、本願発明の「共通ビデオコンテンツと非共通コンテンツの第一部分とを含み」に対応する。
　構成ｂの「映像コンテンツとＣＭデータとを含むトランスポートストリームを受信するステップと、ＣＭデータは、受信後に記憶装置に記憶され、記憶装置から読み出されて映像コンテンツに重畳して表示されるもの」とは、ＣＭデータの表示より前に、トランスポートストリームが受信されることであるから、映像コンテンツとＣＭデータとを含み、ＣＭデータが、ＣＭデータの表示に先行して受信されるように、トランスポートストリームを受信するといえる。また、ここでの「ＣＭデータ」は、「ＣＭデータの第一部分」を含んでいる。
　構成ｂの「トランスポートストリーム」は、「映像コンテンツとＣＭデータ」などの複数のストリームが複合されたものであるから、本願発明の「複合ストリーム」に対応する。
　そうすると、刊行物１発明の構成ｂと、本願発明の構成Ｂは、「テレビ受信機にて、共通ビデオコンテンツと非共通コンテンツの第一部分とを含み、非共通コンテンツの前記第一部分が、前記非共通コンテンツの前記第一部分の表示に先行して受信されるように、複合ストリームを受信するステップ」を備える点で一致する。
　
（ア−３）本願発明の構成Ｃと刊行物１発明の構成ｃについて
　上記（ア−２）の検討と同様に、刊行物１発明の構成ｃの「ディスプレイが接続された表示制御装置」、「ＣＭデータ」は、本願発明の「テレビ受信機」、「非共通コンテンツ」に対応し、「ＣＭデータ」は、少なくとも、「非共通コンテンツの第一部分」を含んでいるものである。
　また、上記（ア−１）、（ア−２）の検討と同様に、刊行物１発明の構成ｃの「映像コンテンツ」は、本願発明の「ビデオストリーム」もしくは「共通ビデオコンテンツ」に対応する。
　刊行物１発明の構成ｃの「視聴地域などのＣＭの対象となるユーザを指定する情報を含み、映像コンテンツに重畳して表示させるＣＭの選択に用いられるための属性情報」は、ユーザの視聴地域に応じて、ＣＭを表示させるか否かを決定するために使用される情報であるから、ＣＭデータの表示に関する情報といえる。
　刊行物１発明の構成ｃの「ＣＭデータを映像コンテンツのどのタイミングで表示するのかを指定する指定情報」は、ＣＭデータを提供する際に、映像コンテンツ内のどの時点で提供するかに関する情報といえ、上記（ア−２）の検討と同様に、「ＣＭデータ」は、「ＣＭデータの第一部分」を含んでいる。
　そして、これらの情報は、詳細に指定されるものであるし、ＣＭを表示させるか否かの決定やタイミングの決定に関する情報であるから、基準といえる。
　そうすると、構成ｃの「視聴地域などのＣＭの対象となるユーザを指定する情報を含み、映像コンテンツに重畳して表示させるＣＭデータの選択に用いられるための属性情報と、ＣＭデータを映像コンテンツのどのタイミングで表示するのかを指定する指定情報」は、構成Ｃの「前記非共通コンテンツの表示と前記非共通コンテンツの前記第一部分の提供のための前記ビデオストリーム共通ビデオコンテンツ内の前記共通ビデオコンテンツの時間内の点とを詳細に指定する少なくとも１つの基準」に対応する。
　したがって、刊行物１発明の構成ｃと、本願発明の構成Ｃは、「前記テレビ受信機にて、前記非共通コンテンツの表示と前記非共通コンテンツの前記第一部分の提供のための前記ビデオストリーム共通ビデオコンテンツ内の前記共通ビデオコンテンツの時間内の点とを詳細に指定する少なくとも１つの基準を受信するステップ」を備える点で一致する。
　
（ア−４）本願発明の構成Ｄと刊行物１発明の構成ｄについて
　上記（ア−２）の検討と同様に、刊行物１発明の構成ｄの「映像コンテンツ」は、本願発明の「共通ビデオコンテンツ」に対応する。
　また、コンテンツを表示することは、コンテンツを出力することであるから、刊行物１発明の構成ｄと、本願発明の構成Ｄは、「前記共通ビデオコンテンツを出力するステップ」を備える点で一致する。
　
（ア−５）本願発明の構成Ｅと刊行物１発明の構成ｅについて
　上記（ア−２）の検討と同様に、刊行物１発明の構成ｅの「ディスプレイが接続された表示制御装置」は、本願発明の「テレビ受信機」に対応する。
　構成ｅの「ユーザにより入力された視聴地域などのユーザ情報」は、ユーザがどこで視聴しているかを示す情報であるから、表示制御装置がどこに設置されているかというパラメータであるといえる。したがって、構成ｅの「ユーザにより入力された視聴地域などのユーザ情報」は、本願発明の「テレビ受信機に関連付けられた少なくとも１つのパラメータ」といえる。
　構成ｅの「前記属性情報」は、上記（ア−３）にて検討したように、ＣＭデータの表示を詳細に指定する基準であり、映像コンテンツに重畳して表示させるＣＭデータの選択に用いられるものであるから、ＣＭデータを出力するか否かを決定するものである。したがって、構成ｅの「前記属性情報」は、本願発明の「前記非共通コンテンツを出力するか否かを決定する前記基準」に対応する。
　構成ｅの「映像コンテンツを視聴しようとするユーザを対象とするＣＭデータが取得される」ことは、ユーザにより入力された視聴地域などのユーザ情報と、属性情報とを処理することにより取得されるといえる。
　そうすると、刊行物１発明の構成ｅと、本願発明の構成Ｅは、「テレビ受信機において、テレビ受信機に関連付けられた少なくとも１つのパラメータと、前記非共通コンテンツを出力するか否かを決定する前記基準とを処理するステップ」を備える点で一致する。
　
（ア−６）本願発明の構成Ｆと刊行物１発明の構成ｆについて
　刊行物１発明の構成ｆの「映像コンテンツを視聴しようとするユーザを対象とするＣＭデータが取得される」ことは、上記（ア−５）で検討したように、処理するステップに対応しているから、前記非共通コンテンツを出力する決定に応答して行われるものといえる。
　構成ｆの「指定情報により指定される映像コンテンツの位置」は、映像コンテンツ全体から考えると一部分であり、映像コンテンツにＣＭデータを合成することは、オーバレイすることであるから、ＣＭデータを、映像コンテンツ内における、構成ｃにて受信された「映像コンテンツのどのタイミングで表示するのかを指定する指定情報」により指定されるタイミングで、映像コンテンツの一部分にオーバレイすることといえる。
　そうすると、刊行物１発明の構成ｆと、本願発明の構成Ｆは、「前記非共通コンテンツを出力する決定に応答して、前記非共通コンテンツを、前記共通ビデオコンテンツ内の前記ビデオストリームの前記時間内の点で提供される前記共通ビデオコンテンツの一部分にオーバーレイするステップ」を備える点で一致する。
　
（ア−７）本願発明の構成Ｇと刊行物１発明の構成ｇについて
　刊行物１発明の構成ｇの「バックネットの看板の位置に重畳してＣＭデータが表示される」とは、重畳、すなわち、オーバレイすることにより、映像コンテンツ内のバックネットの看板を覆い隠すことといえる。
　構成ｇの「バックネットの看板」は、本願発明の構成Ｇの「特定のコンテンツ」に対応するので、構成ｇの「バックネットの看板の位置に重畳してＣＭデータが表示される」は、構成Ｇの「前記オーバーレイすることが、前記共通ビデオコンテンツ内の特定のコンテンツを覆い隠すように行われる」に対応する。
　そして、構成ｃ、ｆのように、ＣＭデータは、表示制御装置が受信した指定情報により指定される映像コンテンツの位置に合成するものであるから、表示制御装置が受信した指定情報にて、バックネットの看板の位置が指定されていると、バックネットの看板の位置に重畳されるものである。
　表示制御装置が受信した指定情報は、放送事業者が表示制御装置に対して送信するものであり、放送事業者が、バックネットの看板の位置（特定のコンテンツ）を覆い隠す必要があると考えた場合にはバックネットの看板の位置を指定した指定情報を送信し、バックネットの看板を覆い隠すものといえるので、必要に応じて覆い隠すように行われているものといえる。
　したがって、刊行物１発明の構成ｇと、本願発明の構成Ｇは、「必要に応じて、前記オーバーレイすることが、前記共通ビデオコンテンツ内の特定のコンテンツを覆い隠すように行われる」点で一致する。
　
イ．一致点・相違点
　
　したがって、刊行物１発明と本願発明は、以下の点で一致し、相違点はない。
　
［一致点］
「ビデオストリームを提供する方法であって、
　前記方法が、
　テレビ受信機にて、共通ビデオコンテンツと非共通コンテンツの第一部分とを含み、非共通コンテンツの前記第一部分が、前記非共通コンテンツの前記第一部分の表示に先行して受信されるように、複合ストリームを受信するステップと、
　前記テレビ受信機にて、前記非共通コンテンツの表示と前記非共通コンテンツの前記第一部分の提供のための前記ビデオストリーム共通ビデオコンテンツ内の前記共通ビデオコンテンツの時間内の点とを詳細に指定する少なくとも１つの基準を受信するステップと、
　前記共通ビデオコンテンツを出力するステップと、
　テレビ受信機において、テレビ受信機に関連付けられた少なくとも１つのパラメータと、前記非共通コンテンツを出力するか否かを決定する前記基準とを処理するステップと、
　前記非共通コンテンツを出力する決定に応答して、前記非共通コンテンツを、前記共通ビデオコンテンツ内の前記ビデオストリームの前記時間内の点で提供される前記共通ビデオコンテンツの一部分にオーバーレイするステップと、
　を含み、
　必要に応じて、前記オーバーレイすることが、前記共通ビデオコンテンツ内の特定のコンテンツを覆い隠すように行われる、方法。」
　
５．判断
　したがって、本願発明は、刊行物１に記載の発明であるから、特許法第２９条第１項第３号に該当し、特許を受けることができない。
　
６．まとめ
　
　以上のとおり、本願の請求項１に係る発明は、刊行物１に記載された発明であるから、特許法第２９条第１項第３号に該当し、特許を受けることができない。
　したがって、本願は、その余の請求項について言及するまでもなく、拒絶すべきものである。
　よって、結論の通り審決する。